(57)【要約】【課題】刈込機の刈刃構造の長尺のアッパーブレードと長尺のアッパープレートとの摺動磨耗（摩擦）が大きくならないようにすることを課題とする。【解決手段】少なくとも一側縁に沿って鋸刃２ｂを形成した長尺のロアブレード２と、少なくとも一側縁に沿って鋸刃３ｂを形成した長尺のアッパーブレード３とを、これらロアブレードとアッパーブレードとに穿設した長手方向の長孔２ａ，３ａにスペーサー６を遊嵌して接合し、これを長尺のロアプレート１と長尺のアッパープレート４とで挟持し、前記ロアプレートとスペーサーとアッパープレートとに貫通したボルト８を、長尺のガイドバー５の外面のナット７に締め付けて組み立て構成した刈刃構造において、長尺のガイドバーの内面に長手方向に沿って形成した凹溝５ｂに、アッパープレートが嵌合する、ように構成した刈込機の刈刃構造。【選択図】      図１
2006020550.tif 000002
【特許請求の範囲】
【請求項１】
少なくとも一側縁に沿って鋸刃（２ｂ，２ｂ・・・）を形成した長尺のロアブレード（２）と、少なくとも一側縁に沿って鋸刃（３ｂ，３ｂ・・・）を形成した長尺のアッパーブレード（３）とを、これら長尺のロアブレード（２）と長尺のアッパーブレード（３）とに穿設した長手方向の長孔（２ａ，３ａ）にスペーサー（６）を遊嵌して接合し、これを長尺のロアプレート（１）と長尺のアッパープレート（４）とで挟持し、前記長尺のロアプレート（１）とスペーサー（６）と長尺のアッパープレート（４）とに貫通したボルト（８）を、長尺のガイドバー（５）の外面のナット（７）に締め付けて組み立て構成した刈刃構造において、
前記長尺のガイドバー（５）の内面に長手方向に沿って形成した凹溝（５ｂ）に、前記長尺のアッパープレート（４）が嵌合する、ように構成したことを特徴とする刈込機の刈刃構造。
【請求項２】
少なくとも一側縁に沿って鋸刃（２ｂ，２ｂ・・・）を形成した長尺のロアブレード（２）と、少なくとも一側縁に沿って鋸刃（３ｂ，３ｂ・・・）を形成した長尺のアッパーブレード（３）とを、これら長尺のロアブレード（２）と長尺のアッパーブレード（３）とに穿設した長手方向の長孔（２ａ，３ａ）にスペーサー（６）を遊嵌して接合し、これを長尺のロアプレート（１）と長尺のアッパープレート（４）とで挟持し、前記長尺のロアプレート（１）とスペーサー（６）と長尺のアッパープレート（４）とに貫通したボルト（８）を、長尺のガイドバー（５）の外面のナット（７）に締め付けて組み立て構成した刈刃構造において、
前記長尺のガイドバー（５）の先端が、長尺のロアブレード（２）および長尺のアッパーブレード（３）の先端より若干長くなっており、かつ、前記長尺のロアブレード（２）と長尺のアッパーブレード（３）との最先端の鋸刃（２ｂ′，３ｂ′）の先端面の形状を、これらの長尺のブレードが前進摺動したときに、鋸刃の先端（２ｃ′，３ｃ′）から前記長尺のガイドバー（５）の先端に向かう直線の傾斜面（２ｃ），（３ｃ）としたことを特徴とする刈込機の刈刃構造。
【請求項３】
少なくとも一側縁に沿って鋸刃（２ｂ，２ｂ・・・）を形成した長尺のロアブレード（２）と、少なくとも一側縁に沿って鋸刃（３ｂ，３ｂ・・・）を形成した長尺のアッパーブレード（３）とを、これら長尺のロアブレード（２）と長尺のアッパーブレード（３）とに穿設した長手方向の長孔（２ａ，３ａ）にスペーサー（６）を遊嵌して接合し、これを長尺のロアプレート（１）と長尺のアッパープレート（４）とで挟持し、前記長尺のロアプレート（１）とスペーサー（６）と長尺のアッパープレート（４）とに貫通したボルト（８）を、長尺のガイドバー（５）の外面のナット（７）に締め付けて組み立て構成した刈刃構造において、
前記長尺のガイドバー（５）の先端に、保護ブロック（９）が設けられたことを特徴とする刈込機の刈刃構造。
【請求項４】
少なくとも一側縁に沿って鋸刃（２ｂ，２ｂ・・・）を形成した長尺のロアブレード（２）と、少なくとも一側縁に沿って鋸刃（３ｂ，３ｂ・・・）を形成した長尺のアッパーブレード（３）とを、これら長尺のロアブレード（２）と長尺のアッパーブレード（３）とに穿設した長手方向の長孔（２ａ，３ａ）にスペーサー（６）を遊嵌して接合し、これを長尺のロアプレート（１）と長尺のアッパープレート（４）とで挟持し、前記長尺のロアプレート（１）とスペーサー（６）と長尺のアッパープレート（４）とに貫通したボルト（８）を、長尺のガイドバー（５）の外面のナット（７）に締め付けて組み立て構成した刈刃構造において、
前記長尺のロアプレート（１）と、長尺のロアブレード（２）および長尺のアッパーブレード（３）に遊嵌したスペーサ（６）と、長尺のアッパープレート（４）とを貫通したボルト（８）を、長尺のガイドバー（５）の外面のナット（７）に締め付けて刈刃構造に組み立てる構成において、前記ボルト（８）の締付位置間隔が、刈刃構造の基端部に行くに従って短くなるようにしたことを特徴とする刈込機の刈刃構造。
【発明の詳細な説明】
【技術分野】
【０００１】
本発明は、草木や生垣の切断や枝の剪定等を行うときに使用する刈込機の刈刃構造に関するものである。
【背景技術】
【０００２】
従来、この種の刈込機（ヘッジトリマ）として、２枚のブレードを、ブレードホルダとホルダプレートとの間に挟み込み、更に、なべねじとナットにより締結するブレード組立体内のホルダプレートに、このホルダプレートの長手方向と直角方向の両端部全体を折り曲げるように凸部を形成し、この凸部によってブレードを押圧するように構成した刈込機が知られている（特許文献１）。
【０００３】
また、本出願人と同一出願人が特願２００３−１７２８９２号として特許出願した刈込機の刈刃構造がある。この刈込機の刈刃構造は、図６および図７に示すように、また、この刈刃構造を用いた刈込機は図８に示すようになっている。以下、この図６、図７および図８を参照して説明する。図６はこの刈込機の刈刃構造の分解斜視図、図７は同組み立て状態における横断面図、図８はこの刈刃構造を備えた刈込機の斜視図である。
【０００４】
この刈込機の刈刃構造は、図６および図７に示すように、一側縁に沿って鋸刃１２ｂ，１２ｂ・・・を形成した長尺のロアブレード１２と、一側縁に沿って鋸刃１３ｂ，１３ｂ・・・を形成した長尺のアッパーブレード１３とを、長尺のロアプレート１１と長尺のアッパープレート１４とで挟持する。この挟持する際に、これら長尺のロアブレード１２と長尺のアッパーブレード１３とに穿設した長手方向の長孔１２ａ，１３ａにスペーサー１６を遊嵌して接合して置く。そして、前記長尺のロアプレート１１とスペーサー１６と長尺のアッパープレート１４とに貫通したボルト１８を、アルミニウムやマグネシウム等の軽金属製の長尺の凹型ガイドバー１５の長手方向の凹溝１５ａに嵌合したナット１７に締め付けて組み立て、刈刃構造としたものである。なお、図７に示す符号１５ｂは、刈刃構造の取付け基端部から先端部の方向へ、潤滑油が流れるように形成した流通凹溝である。
【０００５】
このように構成された刈刃構造１９は、図８に示すように、刈込機として組み立てられる。すなわち、図８に示す刈込機の斜視図において、符号２０はフロントハンドル、２１はリアハンドル、２２はスロットルレバー、２３はロックレバー、２４はストップスイッチ、２５はエンジン（ガソリンエンジン）、２６は燃料タンクである。前記ロアブレード１２とアッパーブレード１３（図６、図７参照）の摺動駆動手段としては、図示しない種々の公知なものがあり、エンジンの回転軸の回転運動が、カム機構等によって、直線運動に変換され、この直線運動によってロアブレード１２とアッパーブレード１３が摺動駆動されるようになっている（たとえば特開平９−１７２８６６号公報、特開２０００−２１７４３１号公報参照）。
【特許文献１】実開平６−５０４２９号公報（実用新案登録請求の範囲、図１、図５、図６参照）
【発明の開示】
【発明が解決しようとする課題】
【０００６】
前記特許文献１に開示されているような刈込機の刈刃構造においては、長手方向に摺動可能にスペーサを介して接合したブレードを、ブレードホルダとホルダプレートとで挟持するとともに、ボルト・ナットで締め付けて刈刃構造を組み立てている。この刈刃構造においては、摺動するブレードの先端が地面や壁面等に当って、その反動が作業者の手元に来ないように、ブレードホルダの先端は、ブレードの先端より長く設計しているが、そのブレードホルダの先端部が、保護ブロックによって保護されていないので、地面等に当った際に損傷する、といった問題がある。
【０００７】
また、特願２００３−１７２８９２号として特許出願した刈込機の刈刃構造においても、摺動するブレードの先端が地面や壁面等に当って、その反動が作業者の手元に来ないように、前記長尺の凹型ガイドバー１５の先端は、長尺のロアブレード１２および長尺のアッパーブレード１３の先端より長く設計しているが、その長尺の凹型ガイドバー１５の先端部が、保護ブロックによって保護されていないので、地面等に当った際に損傷する、といった問題がある。
【０００８】
また、前記特許文献１に開示されているように、前記ブレードホルダの先端を、ブレードの先端より長くし、また、特願２００３−１７２８９２号として特許出願されているもののように、長尺の凹型ガイドバー１５の先端を、長尺のブレードの先端より長くした場合は、生垣等にこの刈込機の刈刃構造の先端部を突っ込んで作業するとき、長尺のブレードによる生垣の切れ幅より、前記ブレードホルダの先端、および、長尺の凹型ガイドバー１５の先端が長いため、このブレードホルダの先端、および、長尺の凹型ガイドバー１５の先端が、切れ残り部に引っ掛かり、生垣の刈り込み作業に対して抵抗になる。
【０００９】
また、特願２００３−１７２８９２号として特許出願した刈込機の刈刃構造のように、長尺の凹型ガイドバー１５をアルミニウムやマグネシウム等の軽金属製とした場合は、長尺のアッパーブレード１３の摺動による長尺の凹型ガイドバー１５の磨耗を防ぐため、この長尺の凹型ガイドバー１５と長尺のアッパーブレード１３との間に、長尺のアッパープレート１４を設けているが、しかし、作業中における切粉や砂が、長尺の凹型ガイドバー１５と長尺のアッパープレート１４との間に入り込むと、長尺のアッパープレート１４と長尺のアッパーブレード１３との当接圧力が強くなり、この当接面が異常磨耗（摩擦）を起こすことがある。
【００１０】
本発明は、このような問題を解決した、刈込機の刈刃構造を提供することを課題とするものである。
【課題を解決するための手段】
【００１１】
前記課題を解決するための手段として、請求項１に係る発明は、少なくとも一側縁に沿って鋸刃２ｂ，２ｂ・・・を形成した長尺のロアブレード２と、少なくとも一側縁に沿って鋸刃３ｂ，３ｂ・・・を形成した長尺のアッパーブレード３とを、これら長尺のロアブレード２と長尺のアッパーブレード３とに穿設した長手方向の長孔２ａ，３ａにスペーサー６を遊嵌して接合し、これを長尺のロアプレート１と長尺のアッパープレート４とで挟持し、前記長尺のロアプレート１とスペーサー６と長尺のアッパープレート４とに貫通したボルト８を、長尺のガイドバー５の外面のナット７に締め付けて組み立て構成した刈刃構造において、前記長尺のガイドバー５の内面に長手方向に沿って形成した凹溝５ｂに、前記長尺のアッパープレート４が嵌合する、ように構成したことを特徴とする刈込機の刈刃構造としたものである。
【００１２】
また、請求項２に係る発明は、少なくとも一側縁に沿って鋸刃２ｂ，２ｂ・・・を形成した長尺のロアブレード２と、少なくとも一側縁に沿って鋸刃３ｂ，３ｂ・・・を形成した長尺のアッパーブレード３とを、これら長尺のロアブレード２と長尺のアッパーブレード３とに穿設した長手方向の長孔２ａ，３ａにスペーサー６を遊嵌して接合し、これを長尺のロアプレート１と長尺のアッパープレート４とで挟持し、前記長尺のロアプレート１とスペーサー６と長尺のアッパープレート４とに貫通したボルト８を、長尺のガイドバー５の外面のナット７に締め付けて組み立て構成した刈刃構造において、前記長尺のガイドバー５の先端が、長尺のロアブレード２および長尺のアッパーブレード３の先端より若干長くなっており、かつ、前記長尺のロアブレード２と長尺のアッパーブレード３との最先端の鋸刃２ｂ′，３ｂ′の先端面の形状を、これらの長尺のブレードが前進摺動したときに、鋸刃の先端２ｃ′，３ｃ′から前記長尺のガイドバー５の先端に向かう直線の傾斜面２ｃ，３ｃとしたことを特徴とする刈込機の刈刃構造としたものである。
【００１３】
また、請求項３に係る発明は、少なくとも一側縁に沿って鋸刃２ｂ，２ｂ・・・を形成した長尺のロアブレード２と、少なくとも一側縁に沿って鋸刃３ｂ，３ｂ・・・を形成した長尺のアッパーブレード３とを、これら長尺のロアブレード２と長尺のアッパーブレード３とに穿設した長手方向の長孔２ａ，３ａにスペーサー６を遊嵌して接合し、これを長尺のロアプレート１と長尺のアッパープレート４とで挟持し、前記長尺のロアプレート１とスペーサー６と長尺のアッパープレート４とに貫通したボルト８を、長尺のガイドバー５の外面のナット７に締め付けて組み立て構成した刈刃構造において、前記長尺のガイドバー５の先端に、保護ブロック９が設けられたことを特徴とする刈込機の刈刃構造としたものである。
【００１４】
また、請求項４に係る発明は、少なくとも一側縁に沿って鋸刃２ｂ，２ｂ・・・を形成した長尺のロアブレード２と、少なくとも一側縁に沿って鋸刃３ｂ，３ｂ・・・を形成した長尺のアッパーブレード３とを、これら長尺のロアブレード２と長尺のアッパーブレード３とに穿設した長手方向の長孔２ａ，３ａにスペーサー６を遊嵌して接合し、これを長尺のロアプレート１と長尺のアッパープレート４とで挟持し、前記長尺のロアプレート１とスペーサー６と長尺のアッパープレート４とに貫通したボルト８を、長尺のガイドバー５の外面のナット７に締め付けて組み立て構成した刈刃構造において、前記長尺のロアプレート１と、長尺のロアブレード２および長尺のアッパーブレード３に遊嵌したスペーサ６と、長尺のアッパープレート４とを貫通したボルト８を、長尺のガイドバー５の外面のナット７に締め付けて刈刃構造に組み立てる構成において、前記ボルト８の締付位置間隔が、刈刃構造の基端部に行くに従って短くなるように構成したことを特徴とする刈込機の刈刃構造としたものである。
【発明の効果】
【００１５】
請求項１に係る発明によれば、前記長尺のガイドバー５の内面に長手方向に沿って形成した凹溝５ｂに、前記長尺のアッパープレート４が嵌合する、ように構成したので、切粉や砂が、長尺のガイドバー５と長尺のアッパープレート４との間に入り込むことがなく、長尺のアッパープレート４と長尺のアッパーブレード３との当接圧力が強くなることがなくなり、この当接面が異常磨耗（摩擦）を起こすことがなくなる。
【００１６】
また、請求項２に係る発明によれば、前記長尺のガイドバー５の先端が、長尺のロアブレード２および長尺のアッパーブレード３の先端より若干長くなっており、かつ、前記長尺のロアブレード２と長尺のアッパーブレード３との最先端の鋸刃２ｂ′，３ｂ′の先端面の形状を、これらの長尺のブレードが前進摺動したときに、鋸刃の先端２ｃ′，３ｃ′から前記長尺のガイドバー５の先端に向かう直線の傾斜面２ｃ，３ｃとしたことにより、刈込機の刈刃構造の先端を、生垣等に突っ込んで作業するとき、刈り残り部が前記傾斜面２ｃ，３ｃで押し退けられるので、長尺のガイドバー５の先端が、生垣の切れ残り部に引っ掛かり、生垣の刈り込み作業に対して抵抗になる、といったことが無くなる。
【００１７】
また、請求項３に係る発明によれば、長尺のガイドバー５の先端に、保護ブロック９が設けられたことにより、長尺のガイドバー５の先端が、保護ブロック９で保護されているので、長尺のガイドバー５の先端が地面や壁面等に当った際に損傷するおそれがなくなる。
【００１８】
また、請求項４に係る発明によれば、長尺のロアプレート１と、長尺のロアブレード２および長尺のアッパーブレード３とに遊嵌したスペーサ６と、長尺のアッパープレート４とを貫通したボルト８を、長尺のガイドバー５の外側面に設けたナット７に締め付けて刈刃構造に組み立てる構成において、前記ボルト８の締付位置間隔が、刈刃構造の基端部に行くに従って短くなるようにしたことにより、刈刃構造の基端部の剛性を上げることができ、ハンドル近くになるに従って増える曲げモーメントに対して撓みの少ない刈刃構造とすることができる。
【発明を実施するための最良の形態】
【００１９】
以下、本発明の刈込機の刈刃構造の実施の形態について図面を参照して詳細に説明する。図１は刈込機の刈刃構造の分解斜視図、図２は刈刃構造の先端部の横断面、図３は同組み立て状態における横断面図、図４は刈刃構造の先端部を示した図であり、図５は刈刃構造の他の実施の形態の先端部を示した図である。
【００２０】
本発明の請求項１に係る刈込機の刈刃構造の実施の形態は、図１および図３に示すように、少なくとも一側縁に沿って鋸刃２ｂ，２ｂ・・・を形成した長尺のロアブレード２と、少なくとも一側縁に沿って鋸刃３ｂ，３ｂ・・・を形成した長尺のアッパーブレード３とを、これら長尺のロアブレード２と長尺のアッパーブレード３とに穿設した長手方向の長孔２ａ，３ａにスペーサー６を遊嵌して摺動可能に接合する。そして、これを長尺のロアプレート１と長尺のアッパープレート４とで挟持し、前記長尺のロアプレート１とスペーサー６と長尺のアッパープレート４と長尺のガイドバー５とに貫通したボルト８を、長尺のガイドバー５の外面のナット７に締め付けて組み立て刈刃構造を構成する。
このような構成において、前記長尺のガイドバー５の内面に長手方向に沿って形成した凹溝５ｂに、前記長尺のアッパープレート４が嵌合するようになっている。また、前記長尺のガイドバー５は、アルミニウムやマグネシウム等の軽金属材を押出し成形または引き抜き成形等で作ることができる。また、前記長尺のガイドバー５の外面にも凹溝５ａが形成されており、この凹溝５ａに前記ナット７が長尺のガイドバー５の外面から突出しないように嵌合している。
【００２１】
図１，図３および図４に示す実施の形態においては、長尺のロアブレード２と長尺のアッパーブレード３は、その一側縁に沿って鋸刃２ｂ,３ｂを形成したが、他の実施の形態としては、図５に示すように、長尺のロアブレード２と長尺のアッパーブレード３の両側縁に沿って鋸刃２ｂ,３ｂを形成してもよい。
【００２２】
請求項１に係る刈込機の刈刃構造は、以上説明したように、すなわち、前記長尺のガイドバー５の内面に長手方向に沿って形成した凹溝５ｂに、前記長尺のアッパープレート４が嵌合する、ように構成したので、切粉や砂が、長尺のガイドバー５と長尺のアッパープレート４との間に入り込むことがなく、長尺のアッパープレート４と長尺のアッパーブレード３との当接圧力が強くなることがなくなり、この当接面が異常磨耗（摩擦）を起こすことがなくなる。
【００２３】
また、請求項２に係る刈込機の刈刃構造の実施の形態は、図４および図５に示すように、前記長尺のガイドバー５の先端が、長尺のロアブレード２および長尺のアッパーブレード３の先端より若干長くなっており、かつ、前記長尺のロアブレード２と長尺のアッパーブレード３との最先端の鋸刃の先端面の形状（図１および図４に示す実施の形態においては、長尺のアッパーブレード３の最先端の鋸刃３ｂの先端面の形状、図５に示す実施の形態においては、長尺のロアブレード２および長尺のアッパーブレード３の最先端の鋸刃２ｂ′，３ｂ′の先端面の形状を、これら長尺のブレードが前進摺動したときに、鋸刃の先端２ｃ′，３ｃ′から基端２ｃ″，３ｃ″および前記長尺のガイドバー５の先端の保護ブロック９に向かう直線の傾斜面２ｃ,３ｃとしたことを特徴とするものである。図４の（ａ）は長尺のアッパーブレード３が前進摺動していないときの図、図４の（ｂ）は長尺のアッパーブレード３が前進摺動したときの図である。
また、図５の（ａ）は長尺のロアブレード２と長尺のアッパーブレード３の鋸刃２ｂ,３ｂが重なった状態を示し、図５の（ｂ）は長尺のアッパーブレード３と長尺のロアブレード２の摺動時の両刃の中間位置の状態を示し、図５の（ｃ）は長尺のロアブレード２が後退して長尺のロアブレード２と長尺のアッパーブレード３の鋸刃２ｂ,３ｂが重なった状態を示す。
このように構成したことにより、長尺のロアブレード２と長尺のアッパーブレード３の先端を、生垣等に突っ込んで作業するとき、長尺のブレードの最先端の鋸刃２ｂ′，３ｂ′の先端面の傾斜面２ｃ,３ｃによって生垣の切れ残り部ｗ（図４の（ｂ）参照）を押し退けるので、長尺のガイドバー５の先端および保護ブロック９が、生垣の切れ残り部ｗに引っ掛かり、生垣の刈り込み作業に対して抵抗になる、といったことが無くなる。
【００２４】
また、請求項３に係る刈込機の刈刃構造の実施の形態は、図１、図２、図４および図５に示すように、長尺のガイドバー５の先端に、長尺のガイドバー５より剛性の大きい（硬い）材質たとえば鉄系燒結材で作られた保護ブロック９が設けられたことを特徴とするものである。
図２に示す実施の形態においては、この保護ブロック９はＬ字型に形成されており、その水平片９ａが長尺のロアプレート１と長尺のアッパープレート４との間に嵌合され、垂直片９ｂが長尺のガイドバー５の先端に位置するように配設され、その後、前記長尺のロアプレート１と長尺のガイドバー５との間を、コ字型の固定部材１０の上下片で挟み、この固定部材１０の下片１０ａから、前記長尺のロアプレート１と保護ブロック９の水平片９ａと長尺のアッパープレート４と長尺のガイドバー５と固定部材１０の上片１０ｂとに貫通させたボルト８′にナット７′を締め付けて固定する。
図５に示す実施の形態においては、長尺のガイドバー５の先端に、保護ブロック９をボルト・ナットで固定する。
【００２５】
また、請求項４に係る刈込機の刈刃構造の実施の形態は、図１に示すように、長尺のロアプレート１と、長尺のロアブレード２および長尺のアッパーブレード３に遊嵌したスペーサ６と、長尺のアッパープレート４とを貫通したボルト８を、長尺のガイドバー５の外面のナット７に締め付けて刈刃構造に組み立てる構成において、前記ボルト８の締付位置間隔が、刈刃構造の基端部に行くに従って短くなるようにしたことにより、刈刃構造の基端部の剛性を上げることができ、ハンドル近くになるに従って増える曲げモーメントに対して撓みの少ない刈刃構造とすることができる。
【００２６】
本発明は、以上説明したように構成したが、この構成に限定されるものではなく、本発明の技術的思想の範囲内において、実施の形態を変形することが可能である。すなわち、前記長尺のロアプレート１を波状の板ばねで形成してもよく、また、長尺のアッパープレート４も波状の板ばねにより形成してもよく、また、長尺のアッパープレート４側を波状の板ばねにより形成し、ロアプレート１を無くし、ボルト８の挿入時にロアブレード２の図における下面に平ワッシャを介在させてもよい。
【図面の簡単な説明】
【００２７】
【図１】本発明の刈込機の刈刃構造の分解斜視図である。
【図２】本発明の刈込機の刈刃構造の先端部の断面図である。
【図３】本発明の刈込機の刈刃構造の横断面図である。
【図４】本発明の刈込機の刈刃構造の先端部を詳細に示した図である。
【図５】本発明の刈込機の刈刃構造の他の実施の形態の先端部を詳細に示した図である。
【図６】先行技術の刈込機の刈刃構造の分解斜視図である。
【図７】先行技術の刈込機の刈刃構造の横断面図である。
【図８】先行技術の刈込機の刈刃構造を備えた刈込機の斜視図である。
【符号の説明】
【００２８】
１    長尺のロアプレート
２    長尺のロアブレード
２ａ  長孔
２ｂ  鋸刃
２ｂ′  最先端の鋸刃
２ｃ  傾斜面
２ｃ′  鋸刃の先端
２ｃ″  基端
３    長尺のアッパーブレード
３ａ  長孔
３ｂ  鋸刃
３ｂ′  最先端の鋸刃
３ｃ  傾斜面
３ｃ′  鋸刃の先端
３ｃ″  基端
４    長尺のアッパープレート
５    長尺のガイドバー
５ａ  凹溝
５ｂ  凹溝
６    スペーサー
７，７′  ナット
８，８′  ボルト
９    保護ブロック
１０  固定部材
【図１】
2006020550.tif 000003
【図２】
2006020550.tif 000004
【図３】
2006020550.tif 000005
【図４】
2006020550.tif 000006
【図５】
2006020550.tif 000007
【図６】
2006020550.tif 000008
【図７】
2006020550.tif 000009
【図８】
2006020550.tif 000010